(57)【特許請求の範囲】
【請求項１】
オンラインで接続されたクライアント端末を用いて、相場価格が変動する金融商品の売買取引のための入力を行う金融商品取引入力処理装置であって、
第１座標軸方向の座標値である第１座標値と該第１座標軸とは異なる方向の座標軸である第２座標軸方向の座標値である第２座標値の対により位置が指定される２次元領域内に描画された１の線に含まれる点の第１座標値と第２座標値（以下、「座標値情報」という。）を入力する情報入力手段と、
前記情報入力手段によって入力された前記座標値情報を記憶する記憶手段と、
前記記憶手段に記憶された前記座標値情報について、最小の第１座標値に対応する第２座標値Ｙ1が最大の第１座標値に対応する第２座標値Ｙ2より（１）小さいとき、前記第２座標値Ｙ1に対応する値での買注文を第１の取引条件、前記第２座標値Ｙ2に対応する値での売注文を第２の取引条件とし、（２）大きいとき、前記第２座標値Ｙ1に対応する値での売注文を第１の取引条件、前記第２座標値Ｙ2に対応する値での買注文を第２の取引条件とし、前記第２の取引条件を前記第１の取引条件が成立した後の取引条件として演算し、その演算結果を注文条件として出力する演算手段と、
前記演算手段から出力された注文条件を表示する表示手段と、
を有することを特徴とする金融商品取引入力処理装置。
【請求項２】
前記演算手段は、前記第２座標値Ｙ1が前記第２座標値Ｙ2より
（１）小さいとき、前記２次元領域内に描画された第２の線に含まれる点の前記記憶手段に記憶された座標値情報について、その最小の第１座標値に対応する第２座標値と最大の第１座標値に対応する第２座標値の平均値に対応する値での売注文を第３の取引条件とし、
（２）大きいとき、前記平均値に対応する値での買注文を第３の取引条件とし、
前記第３の取引条件を前記第１の取引条件が成立した後の取引条件とする請求項１に記載の金融商品取引入力処理装置。
【請求項３】
前記金融商品は、外国為替またはオプション取引であることを特徴とする請求項１または２に記載の金融商品取引入力処理装置。
【請求項４】
オンラインで接続されたクライアント端末を用いて、相場価格が変動する金融商品の売買取引のための入力を行う金融商品取引入力処理方法であって、
第１座標軸方向の座標値である第１座標値と該第１座標軸とは異なる方向の座標軸である第２座標軸方向の座標値である第２座標値の対により位置が指定される２次元領域内に描画された１の線に含まれる点の第１座標値と第２座標値（以下、「座標値情報」ということがある。）を入力する情報入力ステップと、
前記情報入力ステップによって入力された前記座標値情報を記憶する記憶ステップと、
最小の第１座標値に対応する第２座標値Ｙ1が最大の第１座標値に対応する第２座標値Ｙ2より（１）小さいとき、前記第２座標値Ｙ1に対応する値での買注文を第１の取引条件、前記第２座標値Ｙ2に対応する値での売注文を第２の取引条件とし、（２）大きいとき、前記第２座標値Ｙ1に対応する値での売注文を第１の取引条件、前記第２座標値Ｙ2に対応する値での買注文を第２の取引条件とし、前記第２の取引条件を前記第１の取引条件が成立した後の取引条件として演算し、その演算結果を注文条件として出力する演算ステップと、
前記演算ステップから出力された注文条件を表示する表示ステップと、
を有することを特徴とする金融商品取引入力処理方法。
【請求項５】
前記演算ステップは、さらに前記第２座標値Ｙ1が前記第２座標値Ｙ2より（１）小さいとき、前記２次元領域内に描画された第２の線に含まれる点の前記記憶手段に記憶された座標値情報について、その最小の第１座標値に対応する第２座標値と最大の第１座標値に対応する第２座標値の平均値に対応する値での売注文を第３の取引条件とし、（２）大きいとき、前記平均値に対応する値での買注文を第３の取引条件とし、前記第３の取引条件を前記第１の取引条件が成立した後の取引条件として演算する請求項４に記載の金融商品取引入力方法。
【請求項６】
前記金融商品は、外国為替またはオプション取引であることを特徴とする請求項４または５に記載の金融商品取引入力処理方法。
【請求項７】
コンピュータを、請求項１乃至３の何れかに記載の金融商品取引入力処理装置あるいは請求項４乃至６の何れかに記載の金融商品取引入力処理方法として機能させることを特徴とするプログラム。
【発明の詳細な説明】
【技術分野】
【０００１】
本発明は、オンラインで接続されたクライアント端末を用いて、外国為替等の相場価格が変動する金融商品の売買取引のための入力を行う金融商品取引入力処理装置及び金融商品取引入力処理方法に関する。
【背景技術】
【０００２】
従来、外国為替等の相場価格が変動する金融商品の取引方法として、注文時の価格で取引を行う成行注文の他に、指値注文が知られている。この指値注文とは、予め顧客から売買価格の指定を受ける注文形態のことであり、金融商品の取扱業者は対象となる金融商品が指定された金額まで下がったときに当該金融商品の買い注文を行い、あるいは、指定された金額まで上がったときに当該金融商品の売り注文を行う。従来、この金融商品の指値注文をコンピュータシステムを用いて行う発明が知られている（例えば、特許文献１参照）。
【０００３】
また、このようなコンピュータシステムを用いた金融商品取引の注文は、顧客自身が、クライアント端末を操作し、インターネットを介して金融商品の取引業者のサーバとの情報交換を行うことにより、注文条件、売買価格の指定などの各種の注文入力を行う。具体的には、注文条件、売買価格などの各項目の指定は、クライアント端末の操作画面の入力ボタンアイコンをマウスでクリック、あるいは手指などでタッチし、また、テンキーやプルダウンボタンにより、希望する売買価格の数値（買い注文の価格、売り注文の価格）、期限、注文形式などの入力を行う必要があった。
【先行技術文献】
【特許文献】
【０００４】
【特許文献１】特開２００６−９９７８７号公報
【発明の概要】
【発明が解決しようとする課題】
【０００５】
しかしながら、上記のような顧客自身が行う各種の注文入力操作は、テンキーやプルダウンボタンによる希望売買価格の数値、期限、注文形式などの入力操作に時間がかかることがあり、価格が常に不規則に変動する金融商品の取引では、顧客が取引機会を逃し、実質的な不利益を被る恐れがあった。そのため、金融商品取引のクライアント端末による注文入力操作をできるだけ簡単に行いたいという顧客からのニーズがあった。
【０００６】
本発明は、上述した課題に鑑みてなされたものであり、その目的は、金融商品取引のクライアント端末による売買取引のための注文入力操作において、注文入力操作を簡単で分かり易くし、迅速な金融商品取引を行うことができるようになり、これにより、顧客が金融商品の取引機会を逃すことなく、実質的な不利益を被る恐れを極力回避することができる金融商品取引入力処理装置及び金融商品取引入力処理方法を提供することにある。
【課題を解決するための手段】
【０００７】
上記目的を達成するため、本発明にかかる金融商品取引入力処理装置は、オンラインで接続されたクライアント端末を用いて、相場価格が変動する金融商品の売買取引のための入力を行う金融商品取引入力処理装置であって、第１座標軸方向の座標値である第１座標値と該第１座標軸とは異なる方向の座標軸である第２座標軸方向の座標値である第２座標値の対により位置が指定される２次元領域内に描画された１の線に含まれる点の第１座標値と第２座標値（以下、「座標値情報」ということがある。）を入力する情報入力手段と、前記情報入力手段によって入力された前記座標値情報を記憶する記憶手段と、前記記憶手段に記憶された前記座標値情報について、最小の第１座標値に対応する第２座標値Ｙ1が最大の第１座標値に対応する第２座標値Ｙ2より（１）小さいとき、前記第２座標値Ｙ1に対応する値での買注文を第１の取引条件、前記第２座標値Ｙ2に対応する値での売注文を第２の取引条件とし、（２）大きいとき、前記第２座標値Ｙ1に対応する値での売注文を第１の取引条件、前記第２座標値Ｙ2に対応する値での買注文を第２の取引条件とし、前記第２の取引条件を前記第１の取引条件が成立した後の取引条件として演算し、その演算結果を注文条件として出力する演算手段と、前記演算手段から出力された注文条件を表示する表示手段とを有することを特徴とする。
この構成により、顧客が２次元領域内にラインを描画して情報入力手段によって座標値情報を入力し、記憶手段に記憶させ、ラインの始点座標値を第１の取引条件、終点座標値を第２の取引条件として演算手段によって演算させることができるので、顧客が所望する金融商品の売買取引のための入力を簡単に行うことができる。
【０００９】
上記態様では、前記演算手段は、前記第２座標値Ｙ1が前記第２座標値Ｙ2より（１）小さいとき、前記２次元領域内に描画された第２の線に含まれる点の前記記憶手段に記憶された座標値情報について、その最小の第１座標値に対応する第２座標値と最大の第１座標値に対応する第２座標値の平均値に対応する値での売注文を第３の取引条件とし、（２）大きいとき、前記平均値に対応する値での買注文を第３の取引条件とし、前記第３の取引条件を前記第１の取引条件が成立した後の取引条件としてもよい。
この構成により、１本目のラインの始点と終点の座標値を夫々第１及び第２の取引条件として演算手段によって演算させ、２本目のラインの座標値の平均値を第３の取引条件とすることができるので、顧客が所望する金融商品の３以上の取引条件の入力を簡単に行うことができる。
【００１１】
上記態様では、プログラムであって、コンピュータを、上記記載の金融商品取引入力処理装置あるいは金融商品取引入力処理方法として機能させることを特徴とする。このことによって、本発明の金融商品取引入力処理装置あるいは金融商品取引入力処理方法をプログラム化し、多様なコンピュータハードウェア上で実現させることができる。
【発明の効果】
【００１２】
本発明の金融商品取引入力処理装置及び金融商品取引入力処理方法によれば、金融商品取引のクライアント端末による注文入力操作において、入力画面上にライン形状を描画することによる注文入力を可能にし、注文入力に対応した売買価格などの注文条件が表示され、数値入力が簡素化されるので、注文入力操作が簡単でより分かり易くなり、迅速な金融商品取引を行うことができ、これにより、顧客が金融商品の取引機会を逃すことなく、実質的な不利益を被る恐れを極力回避することができる。
【図面の簡単な説明】
【００１３】
【図１】本発明の一実施形態に係る金融商品取引入力処理装置を構成する金融商品取引管理システムの構成図である。
【図２】図１に示したクライアント端末２における制御部２３の内部構成を示すブロック図である。
【図３】本実施形態の金融商品取引入力処理装置の入力画面の一例を示す図である。
【図４】本実施形態の金融商品取引入力処理装置の注文入力処理手順を示すフローチャートである。
【図５】クライアント端末の表示画面の一例のイメージ図である。
【図６】クライアント端末の表示画面の一例のイメージ図である。
【図７】クライアント端末の表示画面の一例のイメージ図である。
【図８】本実施形態の金融商品取引入力処理装置の注文種別を変更する処理手順を示すフローチャートである。
【図９】注文種別を変更する場合のクライアント端末表示画面の一例のイメージ図である。
【図１０】注文種別を変更する場合のクライアント端末表示画面の一例のイメージ図である。
【図１１】注文種別を変更する場合のクライアント端末表示画面の一例のイメージ図である。
【図１２】本実施形態の金融商品取引入力処理装置の第１の注文の売買種別を変更する処理手順を示すフローチャートである。
【図１３】本実施形態の金融商品取引入力処理装置のレートを変更する処理手順を示すフローチャートである。
【図１４】レートを変更する場合のクライアント端末の表示画面の一例のイメージ図である。
【図１５】オプション戦略の相場に対する損益を示すパターン図である。
【図１６Ａ】オプション取引の注文入力処理手順を示すフローチャートである。
【図１６Ｂ】オプション取引の注文入力処理手順を示すフローチャートである。
【図１６Ｃ】オプション取引の注文入力処理手順を示すフローチャートである。
【図１７】ロングコールの注文指示手順を示すフローチャートである。
【図１８】ロングコールの損益パターン図である。
【図１９】ショートストラングルの注文指示手順を示すフローチャートである。
【図２０】ショートストラングルの損益パターン図である。
【発明を実施するための形態】
【００１４】
以下、本発明の金融商品取引入力処理装置及び金融商品取引入力処理方法の一実施形態について図面に基づき、詳細に説明する。
【００１５】
図１は、本実施形態の金融商品取引入力処理装置を含む金融商品取引管理システムの構成図である。図１に示すとおり、金融商品取引管理システム１００は、金融商品取引管理装置１とクライアント端末２を備えており、金融商品取引管理装置１とクライアント端末２は、ＷＡＮ（Wide Area Network）としてのインターネット３を介して相互に交信可能である。金融商品取引管理システム１００は金融商品として外国為替を取扱う。なお、クライアント端末（金融商品取引入力処理装置）２は、同じ構成を持つＮ個（Ｎ≧１）のクライアント端末２１・・・２Ｎで構成される。
【００１６】
金融商品取引管理装置１は、金融商品の取扱業者が管理し運用するサーバコンピュータであり、Ｗｅｂサーバ機能及び大容量のデータを保存するデータベース機能を備えている。クライアント端末２は、金融商品の売買を行う個人又は法人が所持し使用する、データ通信機能を有する通信端末であって、パーソナルコンピュータ、携帯電話端末等がこれに該当する。
クライアント端末２は、マウスやキーボードやタッチパネル等の各種指示を入力するために用いられる情報入力部２１、ＬＣＤ（Liquid Crystal Display）等からなり情報入力部２１から入力された各種指示や各種画像等を表示する表示部２２、情報入力部２１からの指示情報を受信し、表示部２２に表示情報を出力する制御部２３を有している。
【００１７】
図２は、図１に示したクライアント端末２における制御部２３の内部構成を示すブロック図であり、この制御部２３は、マイクロコンピュータ５０、入出力制御部６０、システムバス７１を備えている。
マイクロコンピュータ５０は、ＣＰＵ（Central Processing Unit、中央処理装置）５１、ＲＯＭ（Read
Only Memory）５２、ＲＡＭ（Random Access Memory）５３から構成される。入出力制御部６０は、グラフィック・コントローラ６１、入出力コントローラ６２、ビデオラム（ＶＲＡＭ）６３から構成される。
【００１８】
ＣＰＵ５１は、この装置全体の制御処理や各種の情報処理を行なう。ＲＯＭ５２は読み出し専用メモリであり、ＣＰＵ５１が参照する各種の処理プログラムを記憶している。ＲＡＭ５３は読み出し書き込み可能なメモリであり、ＣＰＵ５１が各種の処理を行なうとき等に使用するデータ保存エリアである。
グラフィック・コントローラ６１は、ビデオラム（ＶＲＡＭ）６３に対するデータの書き込み及び読み出しの制御処理を行なう。入出力コントローラ６２は、情報入力部２１から入力された各種指示入力（例えば、マウスでのクリック操作や手指でのタッチ操作など）からの入力制御処理と表示部２２に対する表示制御処理を司る。ビデオラム（ＶＲＡＭ）６３は、表示部２２に表示する情報を記憶するメモリである。
【００１９】
ＶＲＡＭ６３内には、マウスでのクリック操作や手指でのタッチ操作などで入力されたライン（線）の座標（位置データ）を蓄積する入力情報蓄積／表示ＶＲＡＭエリアと、入力画面の各種メニューや操作ボタンやチャートなどを表示するためのグラフィック情報を蓄積するグラフィック情報蓄積／表示ＶＲＡＭエリアとを持つ。
【００２０】
ここで、図１には図示しないが、金融商品取引管理装置１は、少なくとも１のＣＰＵ、ＣＰＵの作業領域として機能するＲＡＭ、起動用ブートプログラム等が記録されたＲＯＭ、各種プログラムやデータ等が記録されるハードディスク等の補助記憶装置、データの送受信に用いる通信インターフェース等が設けられている。補助記憶装置には、ＯＳ（Operating System）用プログラム、各種アプリケーションプログラム、データベースに記録されたデータ等が記録されており、これらのプログラムやデータはＣＰＵの演算処理により、ハードウェア資源と協働して各種機能を実現する。
【００２１】
図１に示すように、金融商品取引管理装置１は、上述した各種プログラムとハードウェア資源とに基づいて実現される機能手段としてのデータ処理部１１、及びデータ処理部１１にて処理される各種データが記録されるデータベース１２を有する。データ処理部１１は金融商品取引管理装置１において用いる各種データの生成、加工等の処理を行うものであり、クライアント端末２からの大量のアクセスを処理するＷｅｂサーバ１３、アプリケーション層のプログラムを実行するアプリケーションサーバ（ＡＰサーバ）１４を有している。
【００２２】
データ処理部１１は、クライアント端末２から入力された各種の注文に関するデータを受け付け、金融商品の注文を成立させるために必要な各種処理を行う。そして、処理した情報に基づいて、成立した金融商品の注文に関する情報を生成する。ここでの注文には、いわゆる成行注文、指値注文に加え、イフダン注文（順位のある２つの注文を同時に出し、第一順位の注文が成立したら、自動的に第二順位の注文が有効になる注文形式のこと。以下の説明において同じ）、ＯＣＯ注文（２つの注文を同時に出し、いずれか一方の注文が成立したら、自動的にもう片方の注文がキャンセルになる注文形式のこと。以下の説明において同じ）、イフダンＯＣＯ注文（イフダン注文とＯＣＯ注文を組み合わせた注文形式のこと。以下の説明において同じ）も含まれる。
【００２３】
更に、データ処理部１１は、生成した注文に基づく約定処理、及び完了した約定処理に関する情報を顧客のクライアント端末２に送るための処理を行う。なお、ここでの「約定」とは、顧客の注文に基づいて金融商品の売買を成立されるための各種の手続及び処理のことをいう。
データ処理部１１において生成、加工処理されたデータは、データベース１２との間でデータを交信するために必要な処理が行われて、データベース１２にて記録されるデータとの変換（例えば論理的データ構造と物理的データ構造との相互変換）が行われる。
【００２４】
データベース１２は、金融商品取引管理装置１にて用いられるデータを記録する。本実施形態におけるデータベース１２は、例えばリレーショナルデータベースやオブジェクトデータベース等、大量のデータの記録や書換えに適したものであればどのような形式を用いてもよい。
次に、上記した金融商品取引管理システムにおいて、本実施形態の金融商品取引入力処理装置による注文入力処理手順について説明する。
【００２５】
（１．基本的な注文入力処理手順）
以下、基本的な注文入力処理手順について説明する。
図１に示す金融商品取引管理システム１００を利用する顧客は、クライアント端末２を用いて金融商品取引管理装置１にアクセスする。金融商品取引管理装置１のデータ処理部１１は、アクセスのあったクライアント端末２の表示部２２に、図３に示す入力画面４１を表示させる。顧客は、情報入力部２１を用いて入力画面４１に注文内容のデータを入力する。具体的には、入力画面４１に対して下記（１）〜（４）の処理が行われることになる。
【００２６】
なお、以下の説明では、入力画面４１にマウスでクリックして操作する例について説明しているが、入力画面４１がタッチパネルになっていて、手指あるいはタッチペンなどでタッチして操作するようにしても良い。
（１）まず、顧客は、入力画面４１の上側に取引可能な通貨ペア（この入力画面４１では４種類の通貨ペア）ごとに設けられた売買希望入力ボタン４２ａ〜４２ｄの中から売買を希望する通貨ペアを選択しクリックする。例えば日本円で米国ドルを購入することを希望する顧客は、入力画面４１の米国ドル購入ボタン４２ａ１をクリックする。
【００２７】
（２）次に、顧客は、注文種別、売買種別、注文価格などの詳細な注文条件を指示するために、描画入力エリア４３上を、マウスでクリックした状態のままトレース（ドラッグ）して、１本または複数本のライン（線）を描画する。これにより、２次元の描画入力エリア４３内に描画されたライン形状によって特定される座標値情報が情報入力手段（図１の２１参照）によって入力され、入力された該座標値情報は記憶手段（図２の６３参照）に記憶される。次いで、記憶手段６３に記憶された座標値情報に対応する取引条件がＣＰＵ５１の演算手段（図２の５１ａ参照）によって演算され、その演算結果が注文条件として出力されると、表示手段（図１の２２参照）によって演算手段から出力された注文条件が表示される。ここで、「取引条件」とは売り又は買いの注文価格（売買注文価格）をいう。こうして、イフダン注文などの注文種別、新規注文・決済注文などの売買種別、買い注文価格、売り注文価格などの注文条件が、注文内容欄４４に表示される。
【００２８】
（３）次に顧客は、注文内容欄４４上に表示された注文種別、売買種別、注文条件を確認して、変更が必要な場合には、変更ボタン４５により表示された注文内容を希望する注文内容に変更する。
（４）注文内容欄４４の注文内容に対する必要な変更が完了したのち、顧客が入力画面４１の最下に設けられた注文確認ボタン４６ａをクリックすると、入力画面４１に入力されたデータはクライアント端末２から金融商品取引管理装置１に送信され、注文処理が行われる。注文確認ボタン４６ａに代えてリセットボタン４６ｂが押されると、上記（１）〜（３）の処理は取り消され、入力画面４１は初期状態に戻る。
【００２９】
上記（４）において注文確認ボタン４６ａがクリックされると、送信されたデータが金融商品取引管理装置１に供給され、データ処理部１１によって注文内容が確認される。さらに、供給された注文価格について検査が行われ、顧客に利益が得られる場合のみ適正価格と判断される。また、注文条件が注文種別の条件を満たしているか否かが判断される。
データ処理部１１が、注文条件が必要条件を全て満たしていると判定した場合、クライアント端末２の表示部２２に確認画面（図示せず）を表示させる。該確認画面には入力画面４１にて顧客によって入力、選択された注文条件が列記されており、列記された内容で間違いない場合にクリックする承認ボタン（図示せず）が設けられている。
【００３０】
承認ボタンがクリックされるとデータ処理部１１は受領データに基づいて注文情報を生成する。さらに、該生成された注文情報群はデータベース１２に記録される。以上の手順より、注文処理は完了し、指値注文が成立する。
注文が完了すると、データ処理部１１はクライアント端末２の表示部２２に成立注文表示画面（図示せず）を表示させる。
【００３１】
希望注文価格が不適正と判断した場合、データ処理部１１は入力された注文をエラーとして扱い、注文を拒絶する。
注文処理の完了後、データ処理部１１は為替相場の情報取得を継続し、相場価格と特定ポジションの注文価格とが一致すると、当該ポジションの注文を約定させることになる。
【００３２】
（２．注文入力処理手順）
次に、注文入力処理手順について説明する。
図４は、本実施形態にかかる金融商品取引入力処理方法の注文入力処理手順を示すフローチャートである。
【００３３】
＜２−１．イフダン注文とイフダンＯＣＯ注文＞
イフダン注文のような２つの注文（新規注文と決済注文）を指示するために、描画入力エリア４３（図３参照）上で、マウスでライン（１本目）を描画することで注文することができる。
マウスで描画入力エリア４３上の任意の位置をクリック（または、手指あるいはタッチペンでタッチ、以下同様）すると（ステップＳ１）、マウスでクリックした位置に対応する座標（ｘ1，ｙ1）が始点の座標（位置データ）として取得され、ＶＲＡＭ６３（図２参照）内の入力情報蓄積／表示ＶＲＡＭエリアに蓄積される（ステップＳ２）。演算手段（図２の５１ａ参照）は、記憶手段（図２の６３参照）に記憶された座標値情報のうち、ラインの始点座標値を第１の取引条件として演算し、ラインの終点座標値を第２の取引条件として演算する
【００３４】
更に、顧客が、描画入力エリア４３上をマウスでクリックした状態のまま描画入力エリア４３（図３参照）の破線Ｔ１のように、描画入力エリア４３上を斜めにドラッグすると（ステップＳ３）、マウスでクリックした始点座標（ｘ１，ｙ１）からドラッグしている現在座標（ｘ，ｙ）までの座標（位置データ）に基づいて、入出力コントローラ６２（図２参照）の表示制御処理により、ラインＬ１が描画入力エリア４３上に表示され、ステップＳ４でクリックが止まったか否かが判断される。クリックが止まっていない（"ＮＯ"）ならばステップＳ３へ戻り、止まった（"ＹＥＳ"）ならばステップＳ５でラインＬ１の始点座標（ｘ１，ｙ１）と終点座標（ｘ２，ｙ２）が確定し、この確定した始点と終点の座標（位置データ）として取得され、ＶＲＡＭ６３（図２参照）内の入力情報蓄積／表示ＶＲＡＭエリアに蓄積される。
【００３５】
次に、ステップＳ６で始点座標、終点座標におけるＹ軸の価格である始点レートＲ１（第１の取引条件）、終点レートＲ２（第２の取引条件）がＣＰＵ５１の演算部（演算手段）５１ａによって算出される。
ステップＳ７において、始点レートＲ１が終点レートＲ２より小さい（"ＹＥＳ"）ならば、その条件での注文種別、第１の注文の売買種別（第１の売買種別）、第１の注文価格、第２の注文の売買種別（第２の売買種別）、第２の注文価格、第３の注文の売買種別（第３の売買種別）、第３の注文価格を、それぞれ表示手段２２（図１参照）が演算手段５１ａ（図２参照）から出力された注文条件として注文内容欄４４（図４参照）に表示する。
【００３６】
具体的には、始点レートＲ１＜終点レートＲ２ならば、図５に示すように、注文種別は、注文種別欄４４ａに「イフダン注文（ＩＦＤ）」、第１の売買種別は、第１の売買種別欄４４ｂに「新規買い」、第１の注文価格は、第１の注文価格欄４４ｃに「始点レートＲ１である１００．２０円」、第２の売買種別は、第２の売買種別欄４４ｄに「決済売り」、第２の注文価格は、第２の注文価格欄４４ｅに「終点レートＲ２である１０１．８０円」である注文として入力画面４１（図３参照）に表示される（ステップＳ８）。
【００３７】
また、ステップＳ７において、始点レートＲ１が終点レートＲ２より大きい（"ＮＯ"）ならば、図６に示すように、注文種別は、注文種別欄４４ａに「イフダン注文（ＩＦＤ）」、第１の売買種別は、第１の売買種別欄４４ｂに「新規売り」、第１の注文価格は、第１の注文価格欄４４ｃに「始点レートＲ１である１０１．８０円」、第２の売買種別は、第２の売買種別欄４４ｄに「決済買い」、第２の注文価格は、第２の注文価格欄４４ｅに「終点レートＲ２である１００．２０円」である注文として入力画面４１（図３参照）に表示される（ステップＳ９）。
【００３８】
更に、ステップ１０において、顧客が、ストップロスのための逆指値注文（ＳＴＰ注文）を指示するために、描画入力エリア４３（図３参照）上に、マウスで２本目のラインを描画することで注文指示をする場合、マウスで描画入力エリア４３上を、描画入力エリア４３（図３参照）の点線Ｔ２のように、描画入力エリア４３上をほぼ水平にドラッグすると、情報入力手段（図１の２１参照）が描画入力エリア４３に描画されたライン形状の座標値情報を入力し、トレースした位置に対応する座標が取得され、ＶＲＡＭ６３（図２参照、記憶手段）内の入力情報蓄積／表示ＶＲＡＭエリアに蓄積される。
【００３９】
ステップ１０で、２本目のラインがほぼ水平（例えば、始点、終点及びその中間点のＹ座標値の平均値が所定値以下）に描画されたか否かが判断される。水平でない（"ＮＯ"）であればステップ１３へ進み、水平である（"ＹＥＳ"）と判断されれば、マウスでクリックした始点座標（ｘ３，ｙ３）からトレースしている現在座標（ｘ，ｙ）までの座標（位置データ）に基づいて、入出力コントローラ６２（図２参照）の表示制御処理により、ラインＬ２が描画入力エリア４３上に表示され、クリックを止めてトレースが終わると、ラインＬ２の始点座標（ｘ３，ｙ３）と終点座標（ｘ４，ｙ４）が確定し、この２本目のラインＬ２のｙ軸値（レート）の平均値、すなわち、ラインＬ２の始点座標と終点座標のｙ軸値の平均値のレートＲ３（第３の取引条件）がメモリに保存され、この保存された平均値のレートＲ３は、ストップロスのための逆指値（ＳＴＰ価格）とされる（ステップＳ１１）。
【００４０】
この条件での注文種別、第１の売買種別、第１の注文価格、第２の売買種別、第２の注文価格、第３の売買種別、第３の注文価格が、それぞれ表示手段２２（図１参照）が演算手段５１ａ（図２参照）から出力された注文条件として注文内容欄４４（図３参照）に表示される。
【００４１】
具体的には、２本目のラインＬ２が描画されたならば、図７に示すように、注文種別は、注文種別欄４４ａに「イフダンＯＣＯ注文（ＩＦＤＯＣＯ）」、第１の売買種別は、第１の売買種別欄４４ｂに「新規買い」、第１の注文価格は、第１の注文価格欄４４ｃに「始点レートＲ１である１００．２０円」、第２の売買種別は、第２の売買種別欄４４ｄに「決済売り」、第２の注文価格は、第２の注文価格欄４４ｅに「終点レートＲ２である１０１．８０円」、第３の売買種別は、第３の売買種別欄４４ｆに「決済売りストップ注文（ＳＴＰ）」、第３の注文価格は、第３の注文価格欄４４ｇに「逆指値（ＳＴＰ価格；レートＲ３）である９９．６０円」である注文として入力画面４１（図３参照）に表示（ステップＳ１２）されるとステップＳ１３へ進む。
【００４２】
ステップＳ１３では、顧客による注文内容の確認がされ、注文内容の変更が入力されと、該情報が情報入力部２１から制御部２３に送信され、制御部２３は注文内容の変更（"ＹＥＳ"）を判断する。ステップＳ１４にて注文内容が変更される。具体的には、入力画面４１の注文内容欄４４の注文種別欄４４ａ、第１の売買種別欄４４ｂ、第１の注文価格欄４４ｃ、第２の売買種別欄４４ｄ、第２の注文価格欄４４ｅ、第３の売買種別欄４４ｆ、第３の注文価格欄４４ｇのそれぞれの近傍に設けられた注文種別変更ボタン４５ａ、第１の売買種別変更ボタン４５ｂ、第１の注文価格変更ボタン４５ｃ、第２の売買種別変更ボタン４５ｄ、第２の注文価格変更ボタン４５ｅ、第３の売買種別変更ボタン４５ｆ、第３の注文価格変更ボタン４５ｇにより、表示された注文種別、売買種別、注文価格を、それぞれ希望する注文種別、希望する売買種別、希望する注文価格に変更される。
【００４３】
なお、注文内容を変更する場合、上述した変更ボタンによる変更の他、後述する方法でも変更できる。
ステップＳ１３で注文内容を変更しない（"ＮＯ"）と判断した場合、及びステップＳ１４で注文内容の変更が完了したら、顧客が入力画面４１の最下に設けられた注文確認ボタン４６ａをクリックし、承認ボタン（図示せず）がクリックされると、注文処理が行なわれる（ステップＳ１５）。
【００４４】
＜２−１．注文種別の変更＞
次に、注文種別を変更する場合の処理手順について説明する。
図８は、注文種別を変更する処理手順を示すフローチャートである。
顧客が注文種別を変更する場合、（ａ）イフダン注文（ＩＦＤ）、（ｂ）ＯＣＯ注文、（ｃ）イフダンＯＣＯ注文（ＩＦＤＯＣＯ）のうちのどの注文種別に変更されたかが判断される（ステップＳ２１）。
【００４５】
（ａ）ステップＳ２１において、イフダン注文（ＩＦＤ）に変更された場合、ステップＳ２２に進み、逆指値注文（ＳＴＰ注文）の有無が判断され、ＳＴＰ注文が無い（"ＮＯ"）場合には、図９に示すように、注文種別は、注文種別欄４４ａに「ＩＦＤ」、第１の注文の売買種別（第１の売買種別）は、第１の売買種別欄４４ｂに「新規上限買い［または、売り］（ＬＭＴ）」、第１の注文価格は、第１の注文価格欄４４ｃに「始点レートＲ１である１００．２０円［または、１０１．８０円］」、第２の注文の売買種別（第２の売買種別）は、第２の売買種別欄４４ｄに「決済上限売り［または、買い］（ＬＭＴ）」、第２の注文価格は、第２の注文価格欄４４ｅに「終点レートＲ２である１０１．８０円［または、１００．２０円］」である注文として入力画面４１（図３参照）に表示される（ステップＳ２３）。
【００４６】
すなわち、第１の注文の売買種別（第１の売買種別）は変更させず、第２の注文の売買種別（第２の売買種別）は第１の売買種別の反対の売買種別の注文として掲示される。
ステップＳ２２において、ＳＴＰ注文が有る（"ＹＥＳ"）場合には、ステップＳ２４に進み、逆指値注文（ＳＴＰ注文）を取り消す処理をし、ステップＳ２３の処理に移る。
【００４７】
（ｂ）ステップＳ２１において、ＯＣＯ注文に変更された場合、ステップＳ２５に進み、逆指値注文（ＳＴＰ注文）の有無が判断され、ＳＴＰ注文が無い場合には（ステップＳ２５の"ＮＯ"）、図１０に示すように、注文種別は、注文種別欄４４ａに「ＯＣＯ」として表示され、第１の注文の売買種別（第１の売買種別）は、第１の売買種別欄４４ｂに「新規買い［または、売り］上限（ＬＭＴ）」として表示され、第１の注文価格は、第１の注文価格欄４４ｃに「始点レートＲ１である１００．２０円［または、１０１．８０円］」として表示され、第２の注文の売買種別（第２の売買種別）は、第２の売買種別欄４４ｄに「新規買い［または、売り］上限（ＬＭＴ）」として表示され、第２の注文価格は、第２の注文価格欄４４ｅに「終点レートＲ２である１０１．８０円［または、１００．２０円］」として図３の入力画面４１に表示される（ステップＳ２６）。
【００４８】
すなわち、第１の注文の売買種別（第１の売買種別）は変更させず、第２の注文の売買種別（第２の売買種別）は第１の売買種別と同じ売買種別の注文として掲示される。
ステップＳ２５において、ＳＴＰ注文が有る（"ＹＥＳ"）場合には、ステップＳ２７で逆指値注文（ＳＴＰ注文）を取り消す処理をし、ステップＳ２６の処理に移る。
【００４９】
（ｃ）ステップＳ２１において、イフダンＯＣＯ注文（ＩＦＤＯＣＯ）に変更された場合、逆指値注文（ＳＴＰ注文）の有無が判断され（ステップＳ２８）、ＳＴＰ注文が無い（"ＮＯ"）場合には、ストップロスのための逆指値注文（ＳＴＰ注文）を指示するためのＳＴＰラインを引くように、例えば「ＳＴＰラインを引いて下さい」というメッセージ（図１１のメッセージ表示欄４４ｈ）を入力画面４１に表示する（ステップＳ２９）。ＳＴＰラインが引かれ（図１１中の２点鎖線のラインＬ３）、ＳＴＰ注文がされると（"ＹＥＳ"）、図１１に示すように、注文種別は、注文種別欄４４ａに「ＩＦＤＯＣＯ」、第１の売買種別は、第１の売買種別欄４４ｂに「新規買い」、第１の注文価格は、第１の注文価格欄４４ｃに「始点レートＲ１である１００．２０円」、第２の売買種別は、第２の売買種別欄４４ｄに「決済売り」、第２の注文価格は、第２の注文価格欄４４ｅに「終点レートＲ２である１０１．８０円」、第３の売買種別は、第３の売買種別欄４４ｆに「決済売りストップ注文（ＳＴＰ）」、第３の注文価格は、第３の注文価格欄４４ｇに「逆指値（ＳＴＰ価格）」である注文として入力画面４１（図３参照）に表示される（ステップＳ３０）。すなわち、注文内容の変更はされないまま表示される。
【００５０】
ステップＳ３１で注文内容の変更が必要であるか否かが表示され、"ＹＥＳ"の場合にはステップＳ３２へ進み、注文内容の変更が受け付けられる。ステップＳ３２で注文内容の変更が入力されると、又はステップＳ３１で"ＮＯ"の場合には、ステップＳ３３へ進み、注文処理が実行されることによって注文入力処理は終了する。
【００５１】
＜２−２．第１の注文の売買種別（第１の売買種別）の変更＞
次に、第１の注文の売買種別（第１の売買種別）注文種別を変更する場合の処理手順について説明する。
図１２は、第１の注文の売買種別を変更する処理手順を示すフローチャートである。
顧客が第１の注文の売買種別（第１の売買種別）を変更する場合、（ａ）イフダン注文、（ｂ）ＯＣＯ注文、（ｃ）イフダンＯＣＯ注文のうちのどの注文種別における第１の売買種別を変更するかが判断される（ステップＳ４１）。
【００５２】
（ａ）ステップＳ４１において、イフダン注文における第１の売買種別を変更する場合、ステップＳ４２に進み、第２の注文の売買種別（第２の売買種別）が第１の売買種別とは反対の売買種別に変更される。
（ｂ）ステップＳ４１において、ＯＣＯ注文における第１の売買種別を変更する場合、ステップＳ４３に進み、第１及び第２の注文の売買種別（第１及び第２の売買種別）の両方ともを、同じ売買種別に変更する。
【００５３】
（ｃ）ステップＳ４１において、イフダンＯＣＯ注文における第１の売買種別を変更する場合、ステップＳ４４に進み、第２の注文の売買種別（第２の売買種別）及び第３の注文の売買種別（第３の売買種別）を、第１の売買種別とは反対の売買種別に変更する。
そして、ステップＳ４２、Ｓ４３、Ｓ４４において、各注文の売買種別がすべて変更されると、注文種別を変更する処理を終了する。
このようにして、第１の注文の売買種別（第１の売買種別）注文種別を変更する。
【００５４】
＜２−３．レート変更＞
次に、顧客が、表示されたレートを、描画入力エリア４３（図３参照）上で変更する場合の処理手順について説明する。
レートを変更する場合には、描画入力エリア４３上に表示されたラインＬ１に対して、（ａ）始点をドラッグして始点レートの変更、（ｂ）終点をドラッグして終点レートの変更、（ｃ）ラインＬ１の傾き、長さを維持したまま、ラインＬ１をＹ軸方向（上下方向）に平行移動するようにドラッグして始点レート及び終点レートの両方の変更を、それぞれ行うことができる。
【００５５】
図１３は、レートを変更する処理手順を示すフローチャートである。
顧客が表示されたレートを希望する変更する場合には、描画入力エリア４３（図３参照）上で、マウスでライン上をクリックして、図１４に示すように、始点、終点に"○"印を表示させ、アクティブ状態にする（ステップＳ５１）。
（ａ）始点がドラックされた場合には（ステップＳ５２の"ＹＥＳ"）、第１の注文価格（始点座標（ｘ１，ｙ１）における始点レートＲ１）を、始点のドラッグが終了した時点での変更後始点座標（ｘ１１，ｙ１１）におけるＹ軸の価格である始点レートＲ１１へ変更する（ステップＳ５３）。始点のドラッグが終了すると、始点レートの変更が終了する。
【００５６】
（ｂ）終点がドラッグされた場合には（ステップＳ５４の"ＹＥＳ"）、第２の注文価格（終点座標（ｘ２，ｙ２）における終点レートＲ２）を、終点のドラッグが終了した時点での変更後終点座標（ｘ２１，ｙ２１）におけるＹ軸の価格である終点レートＲ２１へ変更する（ステップＳ５５）。終点のドラッグが終了すると、終点レートの変更が終了する。
【００５７】
（ｃ）ラインＬ１の傾き、長さを維持したまま、ラインＬ１がＹ軸方向（上下方向）に平行移動するようにドラッグされた場合には（ステップＳ５６の"ＹＥＳ"）、第１の注文価格（始点座標（ｘ１，ｙ１）における始点レートＲ１）及び第２の注文価格（終点座標（ｘ２，ｙ２）における終点レートＲ２）を、図１４に示すように、ドラッグが終了した時点でのラインＬ１１の変更後始点座標（ｘ１１，ｙ１１）におけるＹ軸の価格である始点レートＲ１１、及び変更後終点座標（ｘ２１，ｙ２１）におけるＹ軸の価格である終点レートＲ２１へ、それぞれ変更する（ステップＳ５７）。ラインのドラッグが終了すると、始点レート及び終点レートの変更が終了する。
【００５８】
図３の描画入力エリア４３上で、マウスでライン上をクリックして、アクティブ状態が解かれ、レートの変更処理が終了する（ステップＳ５８）。
このようにして、表示されたレートが希望するレートに変更される。
【００５９】
（３．他の金融商品の注文入力処理手順）
上述の金融商品としては、外国為替を取扱うものであるが、本発明はこれに限らず、例えば、オプション取引にも適用できる。
次に、本実施形態の金融商品取引入力処理装置をオプション取引に適用する場合について説明する。
オプション取引では、さまざまな取引戦略を取ることができる。オプション戦略の基本パターンは、（ａ）プットの買い（ロングプット）、（ｂ）プットの売り（ショートプット）、（ｃ）コールの買い（ロングコール）、（ｄ）コールの売り（ショートコール）の４つからなっている。この基本パターンを組み合わせることで、いろいろな戦略パターンがある。
オプションを組み合わせる複合パターンには、種類の違うオプションを組み合わせる「コンビネーション取引」と、同種類のオプションを組み合わせる「スプレッド取引」がある。
【００６０】
「コンビネーション取引」は、コールの買いとプットの買い、あるいは、コールの売りとプットの売りを組み合わせる複合パターンで、代表的な戦略としてストラドル、ストラングルがあり、（ｅ）ストラドルの買い（ロングストラドル）、（ｆ）ストラドルの売り（ショートストラドル）、（ｇ）ストラングルの買い（ロングストラングル）、（ｈ）ストラングルの売り（ショートストラングル）という戦略パターンがある。
「スプレッド取引」は、同じ期間で行使価格の異なるコールの売りとコールの買い、あるいは、プットの売りとプットの買いを組み合わせる取引で、代表的な戦略として、（ｉ）ロングバタフライ、（ｊ）ショートバタフライ、（ｋ）ベアスプレッド（弱気のスプレッド）、（ｌ）ブルスプレッド（強気のスプレッド）がある。
【００６１】
図１５は、上述したオプション戦略の各パターンについて、相場に対する損益を示すパターン図であり、（a）はロングプット、（ｂ）はショートプット、（ｃ）はロングコール、（ｄ）はショートコール、（ｅ）はロングストラドル、（ｆ）はショートストラドル、（ｇ）はロングストラングル、（ｈ）はショートストラングル、（ｉ）はロングバタフライ、（ｊ）はショートバタフライ、（ｋ）はベアスプレッド、（ｌ）はブルスプレッドをそれぞれ示す。
【００６２】
次に、オプション取引の注文入力処理手順について説明する。
図１６は、オプション取引の注文入力処理手順を示すフローチャートである。
顧客が、オプション取引の注文を指示するために、描画入力エリア４３（図３参照）上で、マウスでラインを描画することで注文指示をする場合、顧客が描画するラインの線形状（パターン）に対して、オプション戦略のどの損益パターンに対応するのかの判断処理がされ、顧客が確認できるように入力画面４１（図３参照）に表示される。
【００６３】
＜３−１．（ａ）ロングプット、（ｂ）ショートプット、（ｃ）ロングコール、（ｄ）ショートコールの各パターンを表示する処理＞
図１６Ａに示すフローチャートにおいて、顧客がマウスで描画入力エリア４３（図３参照）上の任意の位置でクリックし、ドラッグしてラインを描画する（ステップＳ６１）。
描画されたラインに対して、（１）ライン始端の２０％部分に対応する始端部分、（２）ライン終端の２０％部分に対応する終端部分、（３）上記の始端部分と終端部分を除く中央の３０％部分に対応する中央部分の各部分の始点の座標（位置データ）と終点の座標（位置データ）が取得され、ＶＲＡＭ６３（図２参照）内の入力情報蓄積／表示ＶＲＡＭエリアに蓄積される（ステップＳ６２）。
【００６４】
ステップＳ６３にて、取得した各部分の始点座標と終点座標に基づいて、描画したラインの始端部分がほぼ水平であるのかが判断される。始端部分が傾斜している（"ＹＥＳ"）と判断された場合は、ステップＳ６９へ進む。該当するパターンは、"プット"、"ストラドル"、"ストラングル"のいずれかのオプション戦略のパターンとなる。
ステップＳ６４ではラインの終端部分がほぼ水平であるか否かが判断される。終端部分が傾斜している（"ＮＯ"）と判断された場合は、描画したラインの極大点及び極小点の座標（位置データ）と、始端部分と終端部分のそれぞれの最大点及び最小点の座標（位置データ）が取得され、ＶＲＡＭ６３（図２参照）内の入力情報蓄積／表示ＶＲＡＭエリアに蓄積される（ステップＳ６５）。
ステップＳ６５において、ラインの極大点、あるいは極小点の座標が取得された以降の処理については、後に図１６Ｂを参照して説明する。
【００６５】
ステップＳ６４で終端部分がほぼ水平である（"ＹＥＳ"）と判断された場合は、ステップＳ６６に進み、傾斜している始端部分が右下に傾斜しているか否かが判断される。そして、右下に傾斜している（"ＹＥＳ"）と判断された場合は、ロングプットのパターン（図１５（a）参照）であると判断され、入力画面４１にその旨が表示される（ステップＳ６７）。右上に傾斜している（"ＮＯ"）と判断された場合は、ショートプットのパターン（図１５（ｂ）参照）であると判断され、入力画面４１にその旨が表示される（ステップＳ６８）。
【００６６】
一方、ステップＳ６３において、始端部分がほぼ水平である（"ＹＥＳ"）と判断された場合は、ステップＳ６９へ進む。該当するパターンは、"コール"、"バタフライ"、"スプレッド"のいずれかのオプション戦略のパターンとなる。
ステップＳ６９にて、そのラインの終端部分がほぼ水平であるか否かが判断され、傾斜している（"ＮＯ"）と判断された場合は、ステップＳ７０に進み、傾斜している終端部分が右上に傾斜しているか否かが判断される。その結果、終端部分が右上に傾斜している（"ＹＥＳ"）と判断された場合は、ロングコールのパターン（図１５（ｃ）参照）であると判断され、入力画面４１にその旨が表示される（ステップＳ７１）。逆に、右下に傾斜している（"ＮＯ"）と判断された場合は、ショートコールのパターン（図１５（ｄ）参照）であると判断され、入力画面４１にその旨が表示される（ステップＳ７２）。
【００６７】
ステップＳ８７で注文内容の変更が必要であるか否かが表示され、"ＹＥＳ"の場合にはステップＳ８８へ進み、注文内容の変更が受け付けられる。ステップＳ８８で注文内容の変更が入力されると、又はステップＳ８７で"ＮＯ"の場合には、ステップＳ８９へ進み、注文処理が実行されることによって注文入力処理は終了する。
【００６８】
＜３−２．（ｅ）ロングストラドル、（ｆ）ショートストラグル、（ｇ）ロングストラングル、（ｈ）ショートストラングルの各パターンを表示する処理＞
図１６Ｂは、図１６ＡのステップＳ６５において、ラインの極大点、あるいは極小点の座標（位置データ）が取得された以降の処理について示すフローチャートである。
【００６９】
図１６Ｂに示すように、ステップＳ７３にて、ラインの中央部分の始点及び終点のｙ軸値（高さ）の平均値と、極大点あるいは極小点のｙ軸値（高さ）とが比較され、中央部分の始点及び終点の高さの平均値と、極大点あるいは極小点とほぼ同じ高さであるか否かがＣＰＵ５１の演算部５１ａ（図２参照）によって判断される。その結果、ほぼ同じ高さでない（"ＮＯ"）の場合、ステップＳ７４へ進み、極大点がラインの始端部分あるいは終端部分の最大点と同じであるか否かが判断され、"ＹＥＳ"の場合には、ステップＳ７５へ進み、ロングストラドルのパターン（図１５（ｅ）参照）であると判断され、入力画面４１にその旨が表示される。逆に、"ＮＯ"の場合には、ステップＳ７６へ進み、ショートストラドルのパターン（図１５（ｆ）参照）であると判断され、入力画面４１にその旨が表示される（ステップＳ７６）。
【００７０】
ステップＳ７３において、"ＹＥＳ"の場合、ステップＳ７７にてラインの始端部分より中央部分が低いか否かが判断される。その結果、"ＹＥＳ"の場合には、ステップＳ７８へ進み、ロングストラングルのパターン（図１５（ｇ）参照）であると判断され、入力画面４１にその旨が表示される。逆に、"ＮＯ"の場合には、ステップＳ７９へ進み、ショートストラングルのパターン（図１５（ｈ）参照）であると判断され、入力画面４１にその旨が表示される。
ステップＳ９１で注文内容の変更が必要であるか否かが表示され、"ＹＥＳ"の場合にはステップＳ９２へ進み、注文内容の変更が受け付けられる。ステップＳ９２で注文内容の変更が入力されると、又はステップＳ９１で"ＮＯ"の場合には、ステップＳ９３へ進み、注文処理が実行されることによって注文入力処理は終了する。
【００７１】
＜３−３．（ｉ）ロングバタフライ、（ｊ）ショートバタフライ、（ｋ）ベアスプレッド、（ｌ）ブルスプレッドの各パターンを表示する処理＞
図１６Ｃは、図１６ＡのステップＳ６９において、終端部分がほぼ水平であると判断された場合以降の処理について示すフローチャートである。
図１６Ｃに示すように、ステップＳ８０で、ラインの始端部分と終端部分の高さがほぼ同じか否かが判断され、ほぼ同じ（"ＹＥＳ"）である場合、ステップＳ８１へ進み、極大点がラインの始端部分及び終端部分の高さより高いか否かが判断される。その結果、"ＹＥＳ"の場合には、ステップＳ８２へ進み、ロングバタフライのパターン（図１５（ｉ）参照）であると判断され、入力画面４１にその旨が表示される。逆に、低い（"ＮＯ"）と判断された場合には、ステップＳ８３へ進み、ショートバタフライのパターン（図１５（ｊ）参照）であると判断され、入力画面４１にその旨が表示される。ここで、高さがほぼ同じか否かは、例えば、両者の高さの違いが１０％未満ならば「ほぼ同じ」とする。
【００７２】
ステップＳ８０において、ほぼ同じでない（"ＮＯ"）の場合、ステップＳ８４へ進み、ラインの始端部分の高さが終端部分の高さよりも高いか否かが判断される。その結果、高い（"ＹＥＳ"）の場合には、ステップＳ８５へ進み、ベアスプレッドのパターン（図１５（ｋ）参照）であると判断され、入力画面４１にその旨が表示される。逆に、低い（"ＮＯ"）場合には、ステップＳ８５へ進み、ブルスプレッドのパターン（図１５（ｌ）参照）であると判断され、入力画面４１にその旨が表示される。
ステップＳ９５で注文内容の変更が必要であるか否かが表示され、"ＹＥＳ"の場合にはステップＳ９６へ進み、注文内容の変更が受け付けられる。ステップＳ９６で注文内容の変更が入力されると、又はステップＳ９５で"ＮＯ"の場合には、ステップＳ９７へ進み、注文処理が実行されることによって注文入力処理は終了する。
【００７３】
＜３−４．（ｃ）ロングコールの注文処理＞
次に、一例として、（ｃ）ロングコールのパターンが表示された場合の注文処理手順について説明する。
図１７は、ロングコールの注文指示手順を示すフローチャートである。
図１７に示すように、ステップＳ１０１において、描画入力エリア４３（図３参照）上で描画されたラインとして図１８に示すようなロングコールの損益パターンＰ１が表示された場合、始端部分の平均値の価格データが取得され、ＶＲＡＭ６３（図２参照）内の入力情報蓄積／表示ＶＲＡＭエリアに蓄積される。次に、ステップＳ１０２で始端部分の平均値の価格データが損益分岐点よりも上であるか否かが判断される。その結果、損益分岐点よりも上である（"ＹＥＳ"）場合にはステップＳ１０３へ進み、図１８に示すパターンＰ２のように始端部分が損益分岐点よりもやや下になるように損益パターン全体の座標を修正して、ステップＳ１０４へ進む。
【００７４】
一方、損益分岐点よりも上でない（"ＮＯ"）場合には、直ちにステップＳ１０４へ進む。ステップＳ１０４では、オプションプレミアムが損失価格の範囲内に収まるコールオプションのうち、アット・ザ・マネー（すなわち、オプションを行使したときに利益がゼロの状態）に最も近いオプションが選択される。次に、ステップＳ１０５で選択したオプションの買い注文と先物買い注文の組み合わせが入力画面４１（図３参照）に表示され終了する。
【００７５】
＜３−６．（ｈ）ショートストラングルの注文処理＞
次に、他の例として、（ｈ）ショートストラングルのパターンが表示された場合の注文処理手順について説明する。
図１９は、ショートストラングルの注文指示手順を示すフローチャートである。
図１９に示すように、ステップＳ１１１において、描画入力エリア４３（図３参照）上で描画されたラインとして、図２０に示すようなショートストラングルの損益パターンＰ３が表示された場合、中央部分の平均値の価格データが取得され、ＶＲＡＭ６３（図２参照）内の入力情報蓄積／表示ＶＲＡＭエリアに蓄積される。次に、ステップＳ１１２で中央部分の平均値の価格データが損益分岐点よりも下か否かが判断される。その結果、下である（"ＹＥＳ"）場合にはステップＳ１１３へ進み、図２０に示すパターンＰ４にように中央部分が損益分岐点より所定値だけ上になるように損益パターン全体の座標を修正して、ステップＳ１１４へ進む。
【００７６】
一方、損益分岐点よりも下でない（"ＮＯ"）場合には、ステップＳ１１４へ進む。ステップＳ１１４では、オプションプレミアムが利益価格の２分の１の範囲内に収まるアウト・オブ・ザ・マネー（すなわち、オプションを行使したときに損失が出てしまう状態）のコールオプションとプットオプションのうち、それぞれのオプションのアット・ザ・マネー（すなわち、利益ゼロ状態のオプション）に最も近いオプションを選択する。
そして、ステップＳ１１５において選択したオプションの両方の売り注文の組み合わせが、入力画面４１（図３参照）に表示して終了する。
【００７７】
なお、本発明は、上述の外国為替やオプション取引といった金融商品に限らず、これ以外の相場価格が変動する金融商品の売買取引のための入力を行う際に適用できることは勿論である。
また、本発明に係る金融商品取引入力処理装置及び金融商品取引入力処理方法は、上述の実施形態に限定されず、本発明の要旨を逸脱することなく、種々の構成を取り得る。
【産業上の利用可能性】
【００７８】
本発明に係る金融商品取引入力処理装置及び金融商品取引入力処理方法は、オンラインで接続されたクライアント端末を用いて、相場価格が変動する外国為替等、金融商品の売買取引のための入力を行う金融商品取引入力処理装置及び金融商品取引入力処理方法に有用である。
【符号の説明】
【００７９】
１      金融商品取引管理装置
２，２１，・・・，２Ｎ  クライアント端末
３      インターネット
１１    データ処理部
１２    データベース
１３    Ｗｅｂサーバ
１４    アプリケーションサーバ（ＡＰサーバ）
２１    情報入力部（情報入力手段）
２２    表示部（表示手段）
２３    制御部
４１    入力画面
４２ａ〜４２ｄ  売買希望入力ボタン
４２ａ１  米国ドル購入ボタン
４３    描画入力エリア
４４    注文内容欄
４４ａ  注文種別欄
４４ｂ  第１の売買種別欄
４４ｃ  第１の注文価格欄
４４ｄ  第２の売買種別欄
４４ｅ  第２の注文価格欄
４４ｆ  第３の売買種別欄
４４ｇ  第３の注文価格欄
４４ｈ  メッセージ表示欄
４５    変更ボタン
４５ａ  注文種別変更ボタン
４５ｂ  第１の売買種別変更ボタン
４５ｃ  第１の注文価格変更ボタン
４５ｄ  第２の売買種別変更ボタン
４５ｅ  第２の注文価格変更ボタン
４５ｆ  第３の売買種別変更ボタン
４５ｇ  第３の注文価格変更ボタン
４５ｆ  第３の売買種別変更ボタン
４５ｇ  第３の注文価格変更ボタン
４６ａ  注文確認ボタン
４６ｂ  リセットボタン
５０    マイクロコンピュータ
５１    ＣＰＵ
５１ａ  演算部（演算手段）
５２    ＲＯＭ
５３    ＲＡＭ
６０    入出力制御部
６１    グラフィック・コントローラ
６２    入出力コントローラ
６３    ビデオラム（ＶＲＡＭ、記憶手段）
７１    システムバス
１００  金融商品取引管理システム
Ｌ１〜Ｌ３、Ｌ１１  ライン
Ｐ１〜Ｐ４  パターン
【図１】
0005292654.tif 000002
【図２】
0005292654.tif 000003
【図３】
0005292654.tif 000004
【図４】
0005292654.tif 000005
【図５】
0005292654.tif 000006
【図６】
0005292654.tif 000007
【図７】
0005292654.tif 000008
【図８】
0005292654.tif 000009
【図９】
0005292654.tif 000010
【図１０】
0005292654.tif 000011
【図１１】
0005292654.tif 000012
【図１２】
0005292654.tif 000013
【図１３】
0005292654.tif 000014
【図１４】
0005292654.tif 000015
【図１５】
0005292654.tif 000016
【図１６Ａ】
0005292654.tif 000017
【図１６Ｂ】
0005292654.tif 000018
【図１６Ｃ】
0005292654.tif 000019
【図１７】
0005292654.tif 000020
【図１８】
0005292654.tif 000021
【図１９】
0005292654.tif 000022
【図２０】
0005292654.tif 000023